(57)【要約】【課題】使用者が意図する画像データに基づいてホワイトバランス調整を行うことが可能な撮像装置を提供することを目的とする。【解決手段】撮像手段と、撮像手段により撮像された画像を表示可能であり、使用者からの入力を受け付けるタッチパネル機能を有する表示手段と、撮像手段により撮像された画像のホワイトバランスを調整するホワイトバランス調整手段と、表示手段が表示する画像のうち、使用者から入力を受け付けた位置の色情報と同等の色情報を有する領域を特定する特定手段と、を備え、ホワイトバランス調整手段は、特定手段により特定された領域の色情報に基づいて、撮像手段により撮像された画像のホワイトバランス調整を行う。【選択図】図１
2011091660.tif 000002
【特許請求の範囲】
【請求項１】
撮像手段と、
前記撮像手段により撮像された画像を表示可能であり、使用者からの入力を受け付けるタッチパネル機能を有する表示手段と、
前記撮像手段により撮像された画像のホワイトバランスを調整するホワイトバランス調整手段と、
前記表示手段が表示する画像のうち、使用者から入力を受け付けた位置の色情報と同等の色情報を有する領域を特定する特定手段と、を備え、
前記ホワイトバランス調整手段は、前記特定手段により特定された領域の色情報に基づいて、前記撮像手段により撮像された画像のホワイトバランス調整を行う、
撮像装置。
【発明の詳細な説明】
【技術分野】
【０００１】
本発明は撮像装置に関し、特に、ホワイトバランス調整機能を有する撮像装置に関する。
【背景技術】
【０００２】
特許文献１は、ビューファインダー上に表示された矢印カーソル位置の周囲（５０画素×５０画素）の方形領域内の画像データに基づいてホワイトバランス調整を電子カメラを開示する。
【０００３】
これにより、この電子カメラは、撮像する画像の所定の領域を用いてホワイトバランス調整を行うことができる。
【先行技術文献】
【特許文献】
【０００４】
【特許文献１】特開２００１−１３６５３９号公報
【発明の概要】
【発明が解決しようとする課題】
【０００５】
しかしながら、上記特許文献１に開示されている電子カメラにおいて、矢印カーソルにより選択された位置の周囲５０画素×５０画素の領域の色が白色であるとは限らない。従って、画像データのうち使用者が意図しない位置の画像データに基づいてホワイトバランス調整を行ってしまうおそれがあった。
【０００６】
本発明は、このような課題を解決するものであり、使用者が意図する画像データに基づいてホワイトバランス調整を行うことが可能な撮像装置を提供することを目的とする。
【課題を解決するための手段】
【０００７】
上記課題を解決するために、本発明にかかる撮像装置は、撮像手段と、撮像手段により撮像された画像を表示可能であり、使用者からの入力を受け付けるタッチパネル機能を有する表示手段と、撮像手段により撮像された画像のホワイトバランスを調整するホワイトバランス調整手段と、表示手段が表示する画像のうち、使用者から入力を受け付けた位置の色情報と同等の色情報を有する領域を特定する特定手段と、を備え、ホワイトバランス調整手段は、特定手段により特定された領域の色情報に基づいて、撮像手段により撮像された画像のホワイトバランス調整を行う。
【発明の効果】
【０００８】
本発明によれば、使用者が意図する画像データに基づいてホワイトバランス調整を行うことが可能な撮像装置を提供できる。
【図面の簡単な説明】
【０００９】
【図１】デジタルビデオカメラ１００の構成を示すブロック図
【図２】デジタルビデオカメラ１００のホワイトバランス調整機能を説明するためのフローチャート
【図３】デジタルビデオカメラ１００のホワイトバランス調整機能を使用している際の液晶モニタ２７０の表示の模式図
【図４】デジタルビデオカメラ１００のホワイトバランス調整機能を使用している際の液晶モニタ２７０の表示の模式図
【発明を実施するための形態】
【００１０】
〔１．実施の形態１〕
本発明をデジタルビデオカメラに適用した例について図面を用いて説明する。
【００１１】
〔１−１．概要〕
デジタルビデオカメラ１００は、ホワイトバランス調整機能を有する。また、デジタルビデオカメラ１００の液晶モニタ２７０は、タッチパネル機能を有する。使用者は、液晶モニタ２７０の表面をタッチすることにより、液晶モニタに表示される画像の一部を選択することができる。
【００１２】
デジタルビデオカメラ１００は、使用者からタッチ操作を受け付けた位置の画像情報に基づいてホワイトバランス調整を行う。
【００１３】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１４】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１５】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１６】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１７】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１８】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００１９】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＪＰＥＧ規格に準拠した圧縮形式等により画像データを圧縮する。画像処理部１９０は、ＤＳＰやマイコンなどで実現可能である。
【００２０】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２１】
メモリ２００は、画像処理部１９０及びコントローラー２１０のワークメモリとして機能する。メモリ２００は、例えば、ＤＲＡＭ、強誘電体メモリなどで実現できる。
【００２２】
液晶モニタ２７０は、ＣＣＤイメージセンサー１８０で生成した画像データが示す画像や、メモリカード２４０から読み出した画像データが示す画像を表示可能である。液晶モニタ２７０は、タッチパネル機能を有する。使用者により液晶モニタ２７０上の特定のポイントがタッチされた場合、コントローラー２１０は、使用者により液晶モニタ２７０上のどこがタッチされたかを認識できる。
【００２３】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２４】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２５】
内部メモリ２８０は、フラッシュメモリや強誘電低メモリなどで構成される。内部メモリ２８０は、デジタルビデオカメラ１００全体を制御するための制御プログラム等を格納する。
【００２６】
操作部材２５０は、使用者から画像の撮像指示を受け付ける部材である。ズームレバー２６０は、使用者からズーム倍率の変更指示を受け付ける部材である。
【００２７】
〔１−２−２．本発明との対応〕
ＣＣＤイメージセンサー１８０は、本発明の撮像手段の一例である。液晶モニタ２７０は、本発明の表示手段の一例である。コントローラー２１０は、本発明のホワイトバランス調整手段の一例である。コントローラー２１０は、本発明の特定手段の一例である。
【００２８】
〔１−３．ホワイトバランス調整〕
デジタルビデオカメラ１００におけるホワイトバランス調整について図２、図３を用いて説明する。図２は、デジタルビデオカメラ１００におけるホワイトバランス調整機能を説明するためのフローチャートである。図３は、デジタルビデオカメラ１００におけるホワイトバランス調整の設定をする際のユーザインターフェースを説明するための模式図である。
【００２９】
使用者は、不図示のモード設定釦を操作することによりデジタルビデオカメラ１００を撮影モードに設定できる（Ｓ１００）。デジタルビデオカメラ１００が撮影モードに設定されると、コントローラー２１０は、使用者によりホワイトバランス調整モードが選択されたか否かを判断する（Ｓ１１０）。
【００３０】
使用者によりホワイトバランス調整モードが選択されたと判断すると、コントローラー２１０は、使用者により液晶モニタ２７０がタッチされたか否かを判断する（Ｓ１２０）。例えば、図３に示すように、使用者は、タッチペンなどを用いて液晶モニタ２７０上の任意の点をタッチすることができる。
【００３１】
使用者により液晶モニタ２７０がタッチされたと判断すると、コントローラー２１０は、タッチされた点の色と同一の色の領域を特定する（Ｓ１３０）。なお、ここでいう同一の色の領域とは、タッチされた点の周辺のうち途切れない範囲に存在する領域である。次に、どのように同一の色の範囲を特定するかについて説明する。
【００３２】
まず画像処理部１９０は、ＣＣＤイメージセンサー１８０により撮像されたＲＧＢデータをＨＳＶデータに変換する。ここで、ＨＳＶデータとは、Ｈ（色相）、Ｓ（彩度）、Ｖ（強度）からなるデータである。このようにＨＳＶデータのうち有彩色の領域においては、ＲＧＢデータと異なり、明るさを含まない純粋な色の情報となっている。従って、ＨＳＶデータは、ＲＧＢデータと比較して、色を特定するのに適している。コントローラー２１０は、このＨＳＶデータを参照することにより、使用者によりタッチされた点の色と同等の色の領域を検出する。
【００３３】
同等の色の領域を特定すると、液晶モニタ２７０は、特定した領域の輪郭部分に太線を表示する（Ｓ１４０）。太線を表示すると、液晶モニタ２７０は、例えば図４に示すように、太線内の色情報に基づいてホワイトバランス調整を行ってよいかを使用者に尋ねる表示を行う（Ｓ１４０）。
【００３４】
この表示が行われると、コントローラー２１０は、使用者によりホワイトバランス調整が許可されたか否かを判断する（Ｓ１５０）。使用者により許可されたと判断すると、コントローラー２１０は、太線内の色情報に基づいて、ホワイトバランス調整を行う（Ｓ１６０）。
【００３５】
このように本実施の形態にかかるデジタルビデオカメラ１００は、使用者により選択された点の色と同等の色を有する領域を特定し、この特定した領域の色情報に基づいてホワイトバランス調整を行う。これにより、使用者は、1点を選択するだけで適切なホワイトバランスをデジタルビデオカメラ１００に行わせることができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００３６】
本実施の形態にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００３７】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００３８】
また、ＷＢ調整する範囲は自動で範囲を特定する方法以外に、撮影者が複数の点をタッチしたときにその点を頂点とする多角形を選択する方法や、２点をタッチしたときにその２点を対角とする四角形や半径とする円の領域を選択する方法でも行うことができる。
【産業上の利用可能性】
【００３９】
本発明は、デジタルビデオカメラやデジタルスチルカメラ等の撮像装置に適用可能である。
【符号の説明】
【００４０】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011091660.tif 000003
【図２】
2011091660.tif 000004
【図３】
2011091660.tif 000005
【図４】
2011091660.tif 000006